(57)【特許請求の範囲】
【請求項１】
上端に樹脂製のジョイントが固着されると共に外周が樹脂製のチューブで覆われた直線状金属線製の第一アンテナエレメントおよびこの第一アンテナエレメントの下端に結合された金属製丸棒状の抜け止めからなる第一アンテナ部と、前記ジョイント上端に固着された丸棒状の給電金具およびこの給電金具の上部に固着され樹脂で覆われたコイル状の第二アンテナエレメントからなる第二アンテナ部と、前記第一アンテナエレメントを出入自在に挿通させるアンテナ挿入孔を中央に有する略円筒状で外周に機器の電気回路に接続される取付け部を有する金属製のホルダーと、弾性金属板を打ち抜き・曲げ加工された略つづみ形で、前記ホルダーの内部に収容された導通ばねとからなり、前記導通ばねが、所定巾で環帯状の中央接触部の上下の縁部からそれぞれ上方向および下方向へ延設され、先端に向けて広がるように形成された複数の脚状接触部が前記ホルダーの内面に弾接し、少なくとも一つの前記脚状接触部が、先端が外方に曲げられた突起を有し、この突起が前記ホルダーの内壁に設けた切欠き部に係合しており、前記第一アンテナ部が伸長されている時、前記抜け止めの外周面に前記導通ばねの中央接触部が弾接して前記第一アンテナ部が機器の電気回路に接続され、前記第一アンテナ部が機器内に収納されている時、前記給電金具の外周面に前記導通ばねの中央接触部が弾接して前記第二アンテナ部が機器の電気回路に接続されるように構成したアンテナ。
【請求項２】
導通ばねの脚状接触部先端の突起およびその突起に対応するホルダー内壁の切欠き部を設ける代わりに、ホルダーの内壁の上端部から下方に少なくとも一つの下端が尖った突部を設け、この突部が導通ばねの隣接する二つの脚状接触部の間に係合する請求項１記載のアンテナ。
【発明の詳細な説明】
【０００１】
【発明の属する技術分野】
本発明は、主として移動体無線で使用される移動局用のアンテナに関するものである。
【０００２】
【従来の技術】
近年、携帯電話やＰＨＳ等の携帯用の無線機が広く普及しているが、これらの無線機には電波を送受信するためのアンテナが備えられており、このアンテナは伸長した際に動作する第一アンテナ部と、携帯に便利なように無線機の筐体内に収納した際に動作する第二アンテナ部から構成されたものが多く使用されている。
【０００３】
このような従来のアンテナについて、図面を用いて説明する。
【０００４】
図６は従来のアンテナの正面断面図、図７は同分解斜視図であり、同図において、１は直線状金属丸線からなる第一アンテナエレメント、２はこの第一アンテナエレメント１の外周を覆う樹脂製のチューブで、第一アンテナエレメント１の下端には金属製丸棒状の抜け止め３が結合され、上端には樹脂製のジョイント４が成形固着されて第一アンテナ部５を形成している。
【０００５】
そして、６は銅や銅合金等の良導電性金属線をコイル状に巻回した第二アンテナエレメント、７は第二アンテナエレメント６が巻き付けられた樹脂製のボビン、８は金属製丸棒状の給電金具で、第二アンテナエレメント６の下端が給電金具８の上端に巻き付けられて電気的に接続され、この外周を樹脂製のカバー９が覆って第二アンテナ部１０が形成され、給電金具８の下端に上記ジョイント４が挿入・固着されて第一アンテナ部５と第二アンテナ部１０が結合されてアンテナ１５を構成している。
【０００６】
また、１１は第一アンテナエレメント１を挿通させるアンテナ挿入孔１１Ａを有した金属製で略円筒状のホルダー、このホルダー１１内の収容孔１１Ｂの内周面に弾接して収容された１２は略円筒状にフォーミングされた弾性金属板製の導通ばねで、この導通ばね１２は上下端が細巾のリング状部１２Ａでその中間部が円筒軸線方向に複数のスリット１２Ｂを有して上下方向の中央部分が細く絞られたつづみ形となっている。
【０００７】
そして、アンテナ１５が伸長した図６の状態では、収容孔１１Ｂ内に収納された導通ばね１２の中央部分が第一アンテナエレメント１の下端に結合された丸棒状の抜け止め３の外周面に弾接し、さらにホルダー１１の外周に形成されたネジ山１１Ｃに、無線機の電気回路（図示せず）に接続された給電ナット１３がねじ込まれて、ホルダー１１が無線機の筐体１４に装着されると共に、第一アンテナエレメント１と給電ナット１３が電気的に接続されている。
【０００８】
このように構成されたアンテナ１５が伸長した図６状態では、給電ナット１３を介して無線機の電気回路に接続された第一アンテナエレメント１によって電波の送受信が行われ、第一アンテナエレメント１が無線機の筐体１４内に収納された状態では、第一アンテナエレメント１に結合された抜け止め３は無線機内に押込まれてホルダー１１から離れ、ホルダー１１内の導通ばね１２の中央部分の内面が第二アンテナエレメント６下端の丸棒状の給電金具８の外周面に弾接することにより、第二アンテナエレメント６が電気回路に接続されて電波の送受信が行われるものであった。
【０００９】
【発明が解決しようとする課題】
しかしながら上記従来の携帯用の無線機などに用いられるアンテナは、小型・軽量の必要性から径の細いものであると共に、伸長されている時の曲げやひねり時の破損に対する安全性の高いことが求められるため、アンテナの接続部が丸棒状で無線機の取付け部分でアンテナが自由に回転するような構造になっているのが一般的であり、このようなアンテナ１５の第一アンテナ部５が無線機の筐体１４内に収納されている状態において、無線機の使用者が、無線機の操作上必要ではないが、遊び的な行為として第二アンテナ部１０を頻繁に回転させることがあると、給電金具８の外周面がホルダー１１内に収容されている導通ばね１２の中央部分の内面と擦れ合いながら回転し、これにより導通ばね１２の複数のスリット１２Ｂの側縁のエッジで給電金具８外周面を損傷することがあり、アンテナ１５を伸長あるいは収納する際の感触を損なうことや、アンテナ１５の伸長時に給電金具８外周面の傷が外観上の品位を低下させることがあるという課題があった。
【００１０】
本発明はこのような従来の課題を解決するものであり、アンテナを回転させた時の給電金具と導通ばねの擦れ合いによる給電金具外周面の損傷を抑え、アンテナを伸長あるいは収納する際の感触を損なうことや、外観上の品位を低下させることを抑えたアンテナを提供することを目的とする。
【００１１】
【課題を解決するための手段】
上記課題を解決するために本発明のアンテナは、アンテナと無線機の電気回路を電気的に接続する弾性金属板製の導通ばねを、アンテナの丸棒状の接続部である給電金具および抜け止めの外周面に弾接する中央接触部が所定巾の環帯状で、この中央接触部の上下の縁部から上方向および下方向へ複数の脚状接触部を延設し、この脚状接触部を先端に向けて外方へ広がるように形成した先端が無線機の接続部であるホルダー内周面に弾接するようになすと共に、少なくとも一つの脚状接触部の先端に設けられた外方への突起が前記ホルダーの内壁に設けた切欠き部に係合するよう構成したものである。
【００１２】
これにより、導通ばねの中央接触部のエッジは環帯状の合わせ部の一箇所のみとなると共に、ホルダー内での導通ばねの回転を防止することができて、アンテナを回転させた時の給電金具と導通ばねの擦れ合いによる給電金具外周面の損傷を抑え、アンテナを伸長あるいは収納する際の感触を損なうことや、外観上の品位を低下させることを抑えたアンテナを得ることができる。
【００１３】
【発明の実施の形態】
本発明の請求項１に記載の発明は、上端に樹脂製のジョイントが固着されると共に外周が樹脂製のチューブで覆われた直線状金属線製の第一アンテナエレメントおよびこの第一アンテナエレメントの下端に結合された金属製丸棒状の抜け止めからなる第一アンテナ部と、前記ジョイント上端に固着された丸棒状の給電金具およびこの給電金具の上部に固着され樹脂で覆われたコイル状の第二アンテナエレメントからなる第二アンテナ部と、前記第一アンテナエレメントを出入自在に挿通させるアンテナ挿入孔を中央に有する略円筒状で外周に機器の電気回路に接続される取付け部を有する金属製のホルダーと、弾性金属板を打ち抜き・曲げ加工された略つづみ形で、前記ホルダーの内部に収容された導通ばねとからなり、前記導通ばねが、所定巾で環帯状の中央接触部の上下の縁部からそれぞれ上方向および下方向へ延設され、先端に向けて広がるように形成された複数の脚状接触部が前記ホルダーの内面に弾接し、少なくとも一つの前記脚状接触部が、先端が外方に曲げられた突起を有し、この突起が前記ホルダーの内壁に設けた切欠き部に係合しており、前記第一アンテナ部が伸長されている時、前記抜け止めの外周面に前記導通ばねの中央接触部が弾接して前記第一アンテナ部が機器の電気回路に接続され、前記第一アンテナ部が機器内に収納されている時、前記給電金具の外周面に前記導通ばねの中央接触部が弾接して前記第二アンテナ部が機器の電気回路に接続されるように構成したアンテナとしたものであり、導通ばねの中央接触部のエッジは環帯状の合わせ部の一箇所のみにできるため、アンテナを回転させた時の給電金具と導通ばねの擦れ合いによる給電金具外周面の損傷を抑え、アンテナを伸長あるいは収納する際の感触を損なうことや、外観上の品位を低下させることを抑えることができると共に、ホルダー内での導通ばねの回転を防止することができて、ホルダー内周面およびホルダー内周面に弾接する脚状接触部先端の損傷を抑え、接触圧力の低下を少なくできるため、導通ばねを介したアンテナと機器の電気回路の電気的接続の安定したアンテナを得ることができるという作用を有する。
【００１６】
請求項２に記載の発明は、請求項１記載の発明において、導通ばねの脚状接触部先端の突起およびその突起に対応するホルダー内壁の切欠き部を設ける代わりに、ホルダーの内壁の上端部から下方に少なくとも一つの下端が尖った突部を設け、この突部が導通ばねの隣接する二つの脚状接触部の間に係合するものであり、ホルダー内壁の突部と導通ばねの係合による請求項１に記載の発明によるものと同様の作用に加え、ホルダー内への導通ばねの挿入時の角度位置の自由度が大きく、挿入が容易であるという作用を有する。
【００１７】
以下、本発明の実施の形態について、図１〜図５を用いて説明する。
【００１８】
なお、従来の技術の項で説明した構成と同一構成の部分には同一符号を付して、詳細な説明を省略する。
【００１９】
（実施の形態１）
図１は本発明の第１の実施の形態によるアンテナの正面断面図、図２は同分解斜視図であり、同図において、１は直線状金属丸線からなる第一アンテナエレメント、２はこの第一アンテナエレメント１を覆う樹脂製のチューブで、第一アンテナエレメント１の下端に金属製丸棒状の抜け止め３が結合され、上端には樹脂製のジョイント４が成形固着されて第一アンテナ部５を形成していること、そして６は銅や銅合金等の良導電性金属線をコイル状に巻回した第二アンテナエレメント、７は第二アンテナエレメント６が巻き付けられた樹脂製のボビン、８は金属製丸棒状の給電金具で、第二アンテナエレメント６の下端が給電金具８に電気的に接続され、この外周を樹脂製のカバー９が覆って第二アンテナ部１０が形成され、給電金具８の下端に上記ジョイント４が挿入・固着されて第一アンテナ部５と第二アンテナ部１０が結合されてアンテナ１５を構成し、金属製で略円筒状のホルダー１１のアンテナ挿入孔１１Ａに第一アンテナエレメント１を挿通させていることは従来の技術の場合と同様である。
【００２０】
しかし、ホルダー１１内の導通ばね２１が弾性金属板を打ち抜き・曲げ加工された略つづみ形で、中央がアンテナ伸長時または収納時に第一アンテナ部５の抜け止め３または第二アンテナ部１０の給電金具８と弾接する所定巾の環帯状の中央接触部２１Ａであり、その上下の縁部からそれぞれ上方向および下方向へ延設され、先端に向けて広がるように形成された複数の脚状接触部２１Ｂ，２１Ｃがホルダー１１の内周面に弾接する構成であることが異なっている。
【００２１】
そして、曲げ加工された中央接触部２１Ａの合わせ部の端部２１Ｄは、給電金具８および抜け止め３の外周面に接触しないように外周面の接線より外側に向けて配されている。
【００２２】
上記構成により、導通ばね２１の複数の脚状接触部２１Ｂ，２１Ｃがホルダー１１内周面に突っ張ることにより、ホルダー１１内周面と脚状接触部２１Ｂ，２１Ｃとの間の回転方向の摩擦抵抗を、アンテナ１５収納時は給電金具８の外周面と中央接触部２１Ａの間の回転方向の摩擦抵抗、またアンテナ１５伸長時は抜け止め３の外周面と中央接触部２１Ａの間の回転方向の摩擦抵抗より大きくすることができて、アンテナ１５を回転させた場合に導通ばね２１の回転が起こり難く、安定した電気的接続を得る上で好ましいものであり、さらに導通ばね２１の中央接触部２１Ａと給電金具８あるいは抜け止め３の間に回転による擦れ合いが発生することは従来の技術の場合と同様であるが、中央接触部２１Ａの合わせ部は一箇所のみであり、かつその端部２１Ｄが給電金具８あるいは抜け止め３の外周面に接触しないものであるので、擦れ合いによる損傷を抑えることができる。
【００２３】
このように本実施の形態によれば、アンテナ１５を回転させた時の導通ばね２１と給電金具８あるいは抜け止め３との擦れ合いによる給電金具８や抜け止め３の外周面の損傷を抑え、アンテナ１５を伸長あるいは収納する際の感触を損なうことや、外観上の品位を低下させることを抑えたアンテナとすることができるものである。
【００２４】
（実施の形態２）
図３は本発明の第２の実施の形態によるアンテナの要部の分解斜視図であり、実施の形態１によるものと同じ構成のものは図示していない。
【００２５】
同図において、２２は導通ばねで、中央接触部２２Ａから上下方向に延設された脚状接触部２２Ｂ，２２Ｃの内、下方に延設された脚状接触部２２Ｃの一つ先端が外方に曲げられた突起２２Ｄを有していることが、実施の形態１で説明したものと異なっており、この突起２２Ｄに対応して設けられたホルダー２３の下方の切欠き部２３Ａに突起２２Ｄを係合させてホルダー２３内に導通ばね２２が収容されている。
【００２６】
上記構成によれば、導通ばね２２の脚状接触部２２Ｃ先端の突起２２Ｄがホルダー２３の切欠き部２３Ａに係合していることにより、アンテナ１５を回転させた場合に、導通ばね２２の脚状接触部２２Ｂ，２２Ｃとホルダー２３内周面の間の回転方向の摩擦抵抗の大きさにかかわらず導通ばね２２が回転することはなく、常に導通ばね２２の中央接触部２２Ａと給電金具８または抜け止め３との間で擦れ合ってアンテナ１５が回転することとなる。
【００２７】
このように本実施の形態によれば、アンテナ１５の回転による給電金具８または抜け止め３の外周面への損傷を抑え、アンテナ１５を伸長あるいは収納する際の感触を損なうことや、外観上の品位を低下させることを抑えることができると共に、脚状接触部２２Ｂ，２２Ｃ先端の突起２２Ｄとホルダー２３の切欠き部２３Ａの係合によってホルダー２３内での導通ばね２２の回転を防止できるので、脚状接触部２２Ｂ，２２Ｃとホルダー２３内周面の間の回転方向の摩擦抵抗の大きさを考慮する必要がなく、設計の自由度を増し、ホルダー２３内周面、およびホルダー２３内周面に弾接する脚状接触部２２Ｂ，２２Ｃ先端の損傷を抑えて接触圧力の低下を小さくできるため、導通ばね２２を介したアンテナ１５と機器の電気回路の電気的接続を安定したものとすることができる。
【００２８】
なお、以上の説明においては、導通ばね２２の脚状接触部２２Ｃの先端に突起２２Ｄを設け、その突起２２Ｄをホルダー２３に設けた切欠き部２３Ａに係合させ両者の間で回転することを抑えたものであるが、図４のホルダーの要部断面の斜視図に示すように、ホルダー２４の収容孔２４Ａ内壁の上端部から下方に、下端が尖った突部２４Ｂを設け、この突部２４Ｂを、図５の導通ばねを組み合わせたホルダーの要部断面の斜視図に示すように、実施の形態１で説明したものと同じ形状の導通ばね２１の二本の脚状接触部２１Ｂの間に係合させて、導通ばね２１が回転することを規制するようにしても同様の効果を奏することは勿論であり、このような構成とすることによりホルダー２４の収容孔２４Ａ内に導通ばね２１を挿入する作業が容易となるものである。
【００２９】
【発明の効果】
以上のように本発明によれば、アンテナの回転による給電金具または抜け止めの外周面への損傷を抑え、アンテナを伸長あるいは収納する際の感触を損なうことや、外観上の品位を低下させることを抑えることができると共に、ホルダー内での導通ばねの回転を防止することができて、ホルダー内周面およびホルダー内周面に弾接する脚状接触部先端の損傷を抑え、接触圧力の低下を少なくできるため、導通ばねを介したアンテナと無線機の電気回路の電気的接続の安定したアンテナを得ることができるという有利な効果が得られる。
【図面の簡単な説明】
【図１】本発明の第１の実施の形態によるアンテナの正面断面図
【図２】同分解斜視図
【図３】本発明の第２の実施の形態によるアンテナの要部の分解斜視図
【図４】同ホルダーの他の形状を示す要部断面の斜視図
【図５】同導通ばねを組み合わせたホルダーの要部断面の斜視図
【図６】従来のアンテナの正面断面図
【図７】同分解斜視図
【符号の説明】
１  第一アンテナエレメント
２  チューブ
３  抜け止め
４  ジョイント
５  第一アンテナ部
６  第二アンテナエレメント
７  ボビン
８  給電金具
９  カバー
１０  第二アンテナ部
１１，２３，２４  ホルダー
１１Ａ  アンテナ挿入孔
１１Ｂ，２４Ａ  収容孔
１１Ｃ  ネジ山
１３  給電ナット
１４  筐体
１５  アンテナ
２１，２２  導通ばね
２１Ａ，２２Ａ  中央接触部
２１Ｂ，２１Ｃ，２２Ｂ，２２Ｃ  脚状接触部
２１Ｄ  端部
２２Ｄ  突起
２３Ａ  切欠き部
２４Ｂ  突部
【図１】
0003630011.tif 000002
【図２】
0003630011.tif 000003
【図３】
0003630011.tif 000004
【図４】
0003630011.tif 000005
【図５】
0003630011.tif 000006
【図６】
0003630011.tif 000007
【図７】
0003630011.tif 000008